【手続補正書】
【提出日】平成20年11月20日(2008.11.20)
【手続補正１】
【補正対象書類名】特許請求の範囲
【補正対象項目名】全文
【補正方法】変更
【補正の内容】
【特許請求の範囲】
【請求項１】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
前記ズーム制御手段によるズームアップ動作が終了してから所定時間経過したか否かを判断する第１の判断手段とを備え、
前記表示制御手段は、
前記第１の判断手段によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させることを特徴とする撮像装置。
【請求項２】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
前記ズーム制御手段によるズームアップ動作のズーム量が所定量以上であるか否かを判断する第２の判断手段とを備え、
前記表示制御手段は、
前記第２の判断手段によりズームアップ動作のズーム量が所定量以上でないと判断された場合は、前記表示手段に表示させるサブ画像データの表示を更新させずに、既に表示されているサブ画像データをそのまま表示させることを特徴とする撮像装置。
【請求項３】
前記ズーム操作手段により行なわれたズーム操作がズームアップ操作かズームダウン操作かを判断する第３の判断手段を備え、
前記表示制御手段は、
前記第３の判断手段によりズームアップ操作が行われたと判断された場合に、ズームアップ動作開始時に前記撮像手段により得られた画像データを表示させることを特徴とする請求項１又は２記載の撮像装置。
【請求項４】
ズームアップ動作開始時に前記撮像手段により得られた画像データをサブ画像データとして記憶手段に記憶させる記憶制御手段を備え、
前記記憶制御手段は、
前記第３の判断手段によりズームアップ操作が行われたと判断された場合に、前記記憶手段に記憶されている画像データの記憶を更新し、
前記表示制御手段は、
前記記憶手段に記憶された画像データを前記表示手段に表示させることを特徴とする請求項３記載の撮像装置。
【請求項５】
前記表示制御手段は、
前記ズーム制御手段によるズームアップ動作中、及び／又は、ズームアップ動作の終了後一定時間、サブ画像データを表示させることを特徴とする請求項１乃至４の何れかに記載の撮像装置。
【請求項６】
前記ズーム操作手段は、２つのズームアップ操作手段を含み、
前記表示制御手段は、
一方のズームアップ操作手段によりズームアップがされた場合のみ、ズームアップ動作開始時に前記撮像手段により得られた画像データを表示させることを特徴とする請求項１乃至５の何れかに記載の撮像装置。
【請求項７】
前記表示制御手段にサブ画像データが表示されているか否かを判断する第４の判断手段を備え、
前記表示制御手段は、
前記第４の判断手段によりサブ画像データが表示されていないと判断された場合であって、前記第２の判断手段により前記ズーム制御手段によるズームアップ動作が終了してから所定時間経過していないと判断され、且つ、前記ズーム制御手段により再びズームアップ動作が行なわれた場合、又は、前記第３の判断手段によりズームアップ動作のズーム量が所定量以上でないと判断された場合であっても、ズームアップ動作開始時に前記撮像手段により得られた画像データをサブ画像データとして表示させることを特徴とする請求項１乃至６の何れかに記載の撮像装置。
【請求項８】
前記表示制御手段は、
前記ズーム制御手段によるズームアップ動作が終了してから所定時間が経過した場合には、表示させるサブ画像データを該所定時間経過後に前記撮像手段により得られた画像データに更新させて表示させることを特徴とする請求項１乃至７の何れかに記載の撮像装置。
【請求項９】
前記表示制御手段は、
前記ズームレンズがワイド端にある状態で、前記ズーム制御手段による前記光学ズーム手段の制御によりズームアップ動作が行なわれた場合は、前記動画撮像制御手段により得られる動画データを前記表示手段に表示させるとともに、ワイド端で前記撮像手段により得られた画像データをサブ画像データとして表示させることを特徴とする請求項１又は２記載の撮像装置。
【請求項１０】
前記表示制御手段は、
前記ズーム制御手段による前記光学ズーム手段の制御により前記動画撮像制御手段により得られる動画データの画角が前記表示手段に表示されているサブ画像データの画角に達した場合には、サブ画像データの表示を禁止する手段を含むことを特徴とする請求項１乃至９の何れかに記載の撮像装置。
【請求項１１】
前記表示制御手段は、
前記動画撮像制御手段により得られた動画データが、前記表示手段に表示されているサブ画像データのどの範囲に対応するかを示すズーム枠を該サブ画像データの画像上に重ねて表示させる手段を含むことを特徴とする請求項１乃至１０の何れかに記載の撮像装置。
【請求項１２】
前記表示制御手段は、
前記ズーム操作手段により行なわれたズーム操作に応じた大きさで前記ズーム枠を表示させることを特徴とする請求項１１記載の撮像装置。
【請求項１３】
前記ズーム枠の表示位置を検出する検出手段を備え、
前記表示制御手段は、
前記検出手段により検出された表示位置に応じて前記ズーム枠を表示させることを特徴とする請求項１１又は１２記載の撮像装置。
【請求項１４】
前記検出手段は、
前記動画撮像制御手段により得られた動画データと、表示されているサブ画像データとを画像認識することにより、表示位置を検出することを特徴とする請求項１３記載の撮像装置。
【請求項１５】
ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする撮像装置。
【請求項１６】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる表示制御手段と、
を備えた撮像装置を実行させるためのプログラムであって、
前記ズーム制御手段によるズームアップ動作が終了してから所定時間経過したか否かを判断する処理と、
この処理によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させる処理と、
を含むことを特徴とするプログラム。
【請求項１７】
被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる表示制御手段と、
を備えた撮像装置を実行させるためのプログラムであって、
前記ズーム制御手段によるズームアップ動作のズーム量が所定量以上であるか否かを判断する処理と、
この処理によりズームアップ動作のズーム量が所定量以上でないと判断された場合は、前記表示手段に表示させるサブ画像データの表示を更新させずに、既に表示されているサブ画像データをそのまま表示させる処理と、
を含むことを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
前記ズーム制御手段によるズームアップ動作が終了してから所定時間経過したか否かを判断する第１の判断手段とを備え、
前記表示制御手段は、
前記第１の判断手段によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させることを特徴とする。
また、上記目的達成のため、請求項２記載の発明による撮像装置は、被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示手段に表示させるとともに、ズームアップ動作開始時に前記撮像手段により得られた画像データをサブ画像データとして表示させる表示制御手段と、
前記ズーム制御手段によるズームアップ動作のズーム量が所定量以上であるか否かを判断する第２の判断手段とを備え、
前記表示制御手段は、
前記第２の判断手段によりズームアップ動作のズーム量が所定量以上でないと判断された場合は、前記表示手段に表示させるサブ画像データの表示を更新させずに、既に表示されているサブ画像データをそのまま表示させることを特徴とする。
【手続補正３】
【補正対象書類名】明細書
【補正対象項目名】０００７
【補正方法】変更
【補正の内容】
【０００７】
また、例えば、請求項３に記載されているように、前記ズーム操作手段により行なわれたズーム操作がズームアップ操作かズームダウン操作かを判断する第１の判断手段を備え、
前記表示制御手段は、
前記第１の判断手段によりズームアップ操作が行われたと判断された場合に、ズームアップ動作開始時に前記撮像手段により得られた画像データを表示させるようにしてもよい。
【手続補正４】
【補正対象書類名】明細書
【補正対象項目名】０００８
【補正方法】変更
【補正の内容】
【０００８】
また、例えば、請求項４に記載されているように、ズームアップ動作開始時に前記撮像手段により得られた画像データをサブ画像データとして記憶手段に記憶させる記憶制御手段を備え、
前記記憶制御手段は、
前記第１の判断手段によりズームアップ操作が行われたと判断された場合に、前記記憶手段に記憶されている画像データの記憶を更新し、
前記表示制御手段は、
前記記憶手段に記憶された画像データを前記表示手段に表示させるようにしてもよい。
【手続補正５】
【補正対象書類名】明細書
【補正対象項目名】０００９
【補正方法】変更
【補正の内容】
【０００９】
また、例えば、請求項５に記載されているように、前記表示制御手段は、
前記ズーム制御手段によるズームアップ動作中、及び／又は、ズームアップ動作の終了後一定時間、サブ画像データを表示させるようにしてもよい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、例えば、請求項６に記載されているように、前記ズーム操作手段は、２つのズームアップ操作手段を含み、
前記表示制御手段は、
一方のズームアップ操作手段によりズームアップがされた場合のみ、ズームアップ動作開始時に前記撮像手段により得られた画像データを表示させるようにしてもよい。
【手続補正９】
【補正対象書類名】明細書
【補正対象項目名】００１３
【補正方法】変更
【補正の内容】
【００１３】
また、例えば、請求項７に記載されているように、前記表示制御手段にサブ画像データが表示されているか否かを判断する第４の判断手段を備え、
前記表示制御手段は、
前記第４の判断手段によりサブ画像データが表示されていないと判断された場合であって、前記第２の判断手段により前記ズーム制御手段によるズームアップ動作が終了してから所定時間経過していないと判断され、且つ、前記ズーム制御手段により再びズームアップ動作が行なわれた場合、又は、前記第３の判断手段によりズームアップ動作のズーム量が所定量以上でないと判断された場合であっても、ズームアップ動作開始時に前記撮像手段により得られた画像データをサブ画像データとして表示させるようにしてもよい。
【手続補正１０】
【補正対象書類名】明細書
【補正対象項目名】００１４
【補正方法】変更
【補正の内容】
【００１４】
また、例えば、請求項８に記載されているように、前記表示制御手段は、
前記ズーム制御手段によるズームアップ動作が終了してから所定時間が経過した場合には、表示させるサブ画像データを該所定時間経過後に前記撮像手段により得られた画像データに更新させて表示させるようにしてもよい。
【手続補正１１】
【補正対象書類名】明細書
【補正対象項目名】００１５
【補正方法】変更
【補正の内容】
【００１５】
また、例えば、請求項９に記載されているように、前記表示制御手段は、
前記ズームレンズがワイド端にある状態で、前記ズーム制御手段による前記光学ズーム手段の制御によりズームアップ動作が行なわれた場合は、前記動画撮像制御手段により得られる動画データを前記表示手段に表示させるとともに、ワイド端で前記撮像手段により得られた画像データをサブ画像データとして表示させるようにしてもよい。
【手続補正１２】
【補正対象書類名】明細書
【補正対象項目名】００１６
【補正方法】変更
【補正の内容】
【００１６】
また、例えば、請求項１０に記載されているように、前記表示制御手段は、
前記ズーム制御手段による前記光学ズーム手段の制御により前記動画撮像制御手段により得られる動画データの画角が前記表示手段に表示されているサブ画像データの画角に達した場合には、サブ画像データの表示を禁止する手段を含むようにしてもよい。
【手続補正１３】
【補正対象書類名】明細書
【補正対象項目名】００１７
【補正方法】変更
【補正の内容】
【００１７】
また、例えば、請求項１１に記載されているように、前記表示制御手段は、
前記動画撮像制御手段により得られた動画データが、前記表示手段に表示されているサブ画像データのどの範囲に対応するかを示すズーム枠を該サブ画像データの画像上に重ねて表示させる手段を含むようにしてもよい。
【手続補正１４】
【補正対象書類名】明細書
【補正対象項目名】００１８
【補正方法】変更
【補正の内容】
【００１８】
また、例えば、請求項１２に記載されているように、前記表示制御手段は、
前記ズーム操作手段により行なわれたズーム操作に応じた大きさで前記ズーム枠を表示させるようにしてもよい。
【手続補正１５】
【補正対象書類名】明細書
【補正対象項目名】００１９
【補正方法】変更
【補正の内容】
【００１９】
また、例えば、請求項１３に記載されているように、前記ズーム枠の表示位置を検出する検出手段を備え、
前記表示制御手段は、
前記検出手段により検出された表示位置に応じて前記ズーム枠を表示させるようにしてもよい。
【手続補正１６】
【補正対象書類名】明細書
【補正対象項目名】００２０
【補正方法】変更
【補正の内容】
【００２０】
また、例えば、請求項１４に記載されているように、前記検出手段は、
前記動画撮像制御手段により得られた動画データと、表示されているサブ画像データとを画像認識することにより、表示位置を検出するようにしてもよい。
【手続補正１７】
【補正対象書類名】明細書
【補正対象項目名】００２１
【補正方法】変更
【補正の内容】
【００２１】
上記目的達成のため、請求項１５記載の発明による撮像装置は、ズームレンズと、
前記ズームレンズを介して投影された被写体の光を画像データに変換する第１の撮像手段と、
前記ズームレンズを光軸方向に移動させることにより被写体に対してズームを行なうズーム制御手段と、
被写体の光を画像データに変換する第２の撮像手段と、
前記第１の撮像手段により得られた画像データ及び前記第２の撮像手段により得られた画像データを表示手段に表示させる表示制御手段と、
を備え、
前記第２の撮像手段により得られる画像データの画角は、前記ズームレンズがワイド端に位置するときに前記第１の撮像手段により得られる画像データの画角と略同一であることを特徴とする。
【手続補正１８】
【補正対象書類名】明細書
【補正対象項目名】００２２
【補正方法】変更
【補正の内容】
【００２２】
上記目的達成のため、請求項１６記載の発明によるプログラムは、被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる表示制御手段と、
を備えた撮像装置を実行させるためのプログラムであって、
前記ズーム制御手段によるズームアップ動作が終了してから所定時間経過したか否かを判断する処理と、
この処理によりズームアップ動作が終了してから所定時間経過していないと判断された場合は、前記ズーム制御手段により再びズームアップ動作が行なわれた場合であっても、前記表示手段に表示させるサブ画像データの表示を更新させずに、既に表示されているサブ画像データをそのまま表示させる処理と、
を含むことを特徴とするプログラム。
また、上記目的達成のため、請求項１７記載の発明によるプログラムは、被写体の光を画像データに変換する撮像手段と、
前記撮像手段を用いて被写体の動画の撮像を行なう動画撮像制御手段と、
ズームレンズを光軸方向に移動させることにより被写体に対してズームを行なう光学ズーム手段と、
ユーザがズーム操作を行なうためのズーム操作手段と、
前記ズーム操作手段により行なわれたズーム操作に応じて前記光学ズーム手段のズーム動作を制御するズーム制御手段と、
前記ズーム制御手段による前記光学ズーム手段の制御によりズームアップ動作が行なわれた場合は、前記動画撮像制御手段により得られる動画データを表示部に表示させるとともに、ズームアップ動作開始時に前記撮像手段により得られた画像データをサブ画像データとして表示させる表示制御手段と、
を備えた撮像装置を実行させるためのプログラムであって、
前記ズーム制御手段によるズームアップ動作のズーム量が所定量以上であるか否かを判断する処理と、
この処理によりズームアップ動作のズーム量が所定量以上でないと判断された場合は、前記表示手段に表示させるサブ画像データの表示を更新させずに、既に表示されているサブ画像データをそのまま表示させる処理と、
を含むことを特徴とするプログラム。